【事件の表示】
　特許第３１６２６２５号「光回路モジュール」の請求項１、２に係る特許に対する特許異議の申立てについて、次のとおり決定する。
【結　論】
　訂正を認める。
　特許第３１６２６２５号の請求項１、２に係る特許を維持する。
【理　由】
１．手続の経緯
　本件特許第３１６２６２５号の特許請求の範囲の請求項１及び２に係る発明は、平成８年５月１５日に特許出願され、平成１３年２月２３日に設定登録がなされ、佐藤精孝より特許異議の申立がなされ、取消理由通知がなされ、その指定期間内である平成１４年３月１９日に訂正請求がなされたものである。
２．訂正の適否について
　ア．訂正の内容
　訂正事項ａ
　特許明細書の特許請求の範囲の記載を
「【請求項１】　平行な２本の光ファイバ（４１，４２）の芯線（４１ａ，４２ａ）を有する第１の２芯フェルール（２０）と、同じく２本の平行な光ファイバ（４３，４４）の芯線（４３ａ，４４ａ）を有する第２の２芯フェルール（３０）とが、１本の直線をなすモジュール主軸（Ｍｓ）上にほぼ同軸に配設され、両フェルールの先端面が所定の間隔をおいて対向しており、
　第１の２芯フェルール（２０）の先端面に対向する第１のコリメートレンズ（２１）と、第２の２芯フェルールの先端面に対向する第２のコリメートレンズ（３１）と、第１および第２のコリメートレンズの間に介在する光合波分波フィルタ（２２，３２）およびウエッジ板（２３，３３）とが、前記両フェルールの先端面の間隔部分において前記モジュール主軸（Ｍｓ）上に直列的に並べて配設されており、
　前記ウエッジ板の頂角は、前記第１，第２の２芯フェルール及び前記第１，第２のコリメートレンズの軸がモジュール主軸（Ｍｓ）に平行或いは直線上に配置された状態で前記第１の２芯フェルール（２０）の一方の芯線（４１ａ）と前記第２の２芯フェルール（３０）の一方の芯線（４３ａ）とが前記光合波分波フィルタの透過光路で光結合するとともに、その透過光路が前記ウエッジ板で適宜の角度で曲げられ、前記モジュール主軸と平行になるように設定され、前記第１および第２の２芯フェルールの各２本の芯線がそれぞれ前記光合波分波フィルタの反射光路で光結合するようにしたことを特徴とする光回路モジュール。
　【請求項２】　前記ウエッジ板（２３）の表面に前記光合波分波フィルタ（２２）としての誘電体多層膜が形成されていることを特徴とする請求項１に記載の光回路モジュール。」
　と訂正する。
　訂正事項ｂ
　特許明細書段落【０００１】を
「【０００１】【発明の属する技術分野】
　本発明は、光ファイバ通信システムなどの構成要素となる光回路モジュールに関し、とくに、４本の光ファイバの間に介在して波長の異なる複数系統の光を合波したり分波する光回路モジュールに関する。」
と訂正する。
　訂正事項ｃ
　特許明細書段落【００１３】を
「【００１３】
　そして、前記ウエッジ板の頂角（Ｅ，Ａ＋Ｂ）を適宜に設定することにより、前記第１，第２の２芯フェルール及び前記第１，第２のコリメートレンズの軸がモジュール主軸（Ｍｓ）に平行或いは直線上に配置された状態で第１の２芯フェルールの一方の芯線と第２の２芯フェルールの一方の芯線とが前記光合波分波フィルタの透過光路で光結合するとともに、その透過光路が前記ウエッジ板で適宜の角度で曲げられ、前記モジュール主軸と平行になるように設定され、さらに、第１および第２の２芯フェルールの各２本の芯線がそれぞれ前記光合波分波フィルタの反射光路で光結合する光学的配置関係を創りだしている。」
と訂正する。
　訂正事項ｄ
　特許明細書段落【００３３】を
「【００３３】
　図５は別の例を示している。本例では、図３に示す例と異なり、光路折り曲げ用の前記ウエッジガラス板２３の表面に前記光合波分波フィルタ２２としての誘電体多層膜を形成している。」
と訂正する。
　訂正事項ｅ
　特許明細書段落【００３５】を
「【００３５】
　図６はさらに別の例を示している。図３に示した例と比較すると、ウエッジガラス板２３の表裏の向きが反対になっている。このように逆にしても図３に示した例と同様の作用効果が得られる。そして、この形態でも図５に示した例と同様に、光合波分波フィルタ２２とウエッジガラス板２３を共通化してももちろん良い。」
　と訂正する。
　訂正事項ｆ
　特許明細書段落【図面の簡単な説明】を
「【図面の簡単な説明】
　【図１】
　本発明の応用対象の一例としての後方向励起式の光ファイバ増幅器の概略構成図である。
　【図２】
　同上光ファイバ増幅器における光合波分波回路モジュールの従来の構成例を示す概略図である。
　【図３】
　本発明の第１の実施の形態による光合波分波回路モジュールの一例を示す概略構成図である。
　【図４】
　ウエッジガラス板を説明する図である。
　【図５】
　本発明の第２の実施の形態による光合波分波回路モジュールの別の例を示す概略構成図である。
　【図６】
　本発明の第３の実施の形態による光合波分波回路モジュールの別の例を示す概略構成図である。
　【図７】
　本発明の第４の実施の形態による光合波分波回路モジュールの別の例を示す概略構成図である。
　【図８】
　本発明の第５の実施の形態による光合波分波回路モジュールの別の例を示す概略構成図である。
　【図９】
　本発明の第１の実施の形態による光合波分波回路モジュールの概略構成図である。
　【図１０】
　本発明の第１の実施の形態の変形例による光合波分波回路モジュールの概略構成図である。
　【図１１】
　ウエッジガラス板の別の形態を示す図である。
　　【符号の説明】
　１　光アイソレータ
　２　エルビウム添加光ファイバ
　２ａ　光ファイバ芯線
　３　光合波分波回路
　４　光ファイバ
　４ａ　光ファイバ芯線
　５　光アイソレータ
　６　励起光源
　７　光ファイバ
　７ａ　光ファイバ芯線
　８，９，１０　１芯フェルール（従来）
　１１，１２，１３　コリメートレンズ（従来）
　１４　光合波分波フィルタ（従来）
　２０，３０　２芯フェルール
　２１，３１　コリメートレンズ
　２２，３２　光合波分波フィルタ
　２３，３３　ウエッジガラス板（ウエッジ板）
　２４　光アイソレータ
　４１，４２，４３，４４　光ファイバ
　４１ａ，４２ａ，４３ａ，４４ａ　光ファイバ芯線
　Ｍｓ　モジュール主軸」
と訂正する。
　イ．訂正の目的の適否、新規事項の追加及び特許請求の範囲の拡張又は変更の存否
　（１）訂正事項ａについて
　訂正事項ａは、訂正前の請求項１及び２に係る発明を「その透過光路がウエッジ板で適宜の角度で曲げられ、モジュール主軸と平行になるように設定される」事項に限定するものであり、この限定事項は特許明細書段落【００１９】の記載から直接的かつ一義的に導き出せる事項であり、特許請求の範囲の減縮に該当し、新規事項を追加するものでなく、特許請求の範囲を実質的に拡張又は変更するものでもない。
　（２）訂正事項ｂ〜ｆについて
　訂正事項ｂ〜ｆは、上記訂正事項ａに整合するように特許明細書の記載を訂正するものであるから、明りょうでない記載の釈明に該当し、新規事項を追加するものでなく、特許請求の範囲を実質的に拡張又は変更するものでもない。
　ウ．むすび
　以上のとおり、上記訂正請求は、特許法第１２０条の４第２項並びに同条第３項で準用する第１２６条第２項及び第３項の規定に適合するので、当該訂正を認める。
３．異議申立の理由の概要
　ア．本件発明
　訂正後の特許明細書の特許請求の範囲の請求項１及び２（以下、本件発明１及び２という。）に記載された次のとおりのものである。
「【請求項１】　平行な２本の光ファイバ（４１，４２）の芯線（４１ａ，４２ａ）を有する第１の２芯フェルール（２０）と、同じく２本の平行な光ファイバ（４３，４４）の芯線（４３ａ，４４ａ）を有する第２の２芯フェルール（３０）とが、１本の直線をなすモジュール主軸（Ｍｓ）上にほぼ同軸に配設され、両フェルールの先端面が所定の間隔をおいて対向しており、
　第１の２芯フェルール（２０）の先端面に対向する第１のコリメートレンズ（２１）と、第２の２芯フェルールの先端面に対向する第２のコリメートレンズ（３１）と、第１および第２のコリメートレンズの間に介在する光合波分波フィルタ（２２，３２）およびウエッジ板（２３，３３）とが、前記両フェルールの先端面の間隔部分において前記モジュール主軸（Ｍｓ）上に直列的に並べて配設されており、
　前記ウエッジ板の頂角は、前記第１，第２の２芯フェルール及び前記第１，第２のコリメートレンズの軸がモジュール主軸（Ｍｓ）に平行或いは直線上に配置された状態で前記第１の２芯フェルール（２０）の一方の芯線（４１ａ）と前記第２の２芯フェルール（３０）の一方の芯線（４３ａ）とが前記光合波分波フィルタの透過光路で光結合するとともに、その透過光路が前記ウエッジ板で適宜の角度で曲げられ、前記モジュール主軸と平行になるように設定され、前記第１および第２の２芯フェルールの各２本の芯線がそれぞれ前記光合波分波フィルタの反射光路で光結合するようにしたことを特徴とする光回路モジュール。
　【請求項２】　前記ウエッジ板（２３）の表面に前記光合波分波フィルタ（２２）としての誘電体多層膜が形成されていることを特徴とする請求項１に記載の光回路モジュール。」　
　イ．異議申立人　佐藤精孝は、証拠として甲第１号証〜甲第３号証を提出し、本件発明１及び２は、特許法第２９条第２項の規定、又は、同法第３６条第４項の規定、若しくは、同条同条第６項第１号又は第２号の規定に違反して特許されたものであるから、それらの特許は取り消されるべき旨主張している。
　ウ．刊行物に記載の発明
　取消理由通知に記載した刊行物１（特開平５−１８１０３５号公報、異議申立人 佐藤精孝が証拠として提出した甲第１号証）には、次の事項が記載されている。
「【００３１】　図４を参照すると、光コネクタ外れ検出用のフォトディテクタを設けた本発明の第４実施例に係る光分岐デバイスが概略的に示されている。光コネクタが外れると、反射帰還光が大幅に増大するため、この反射帰還光をフォトディテクタにより検出することにより光コネクタの外れを検出することができる。
　【００３２】　シングルモード光ファイバ４７の一端と２本のマルチモード光ファイバ４８，４９の一端が図４（Ｂ）に最もよく示されるようにフェルール４６に挿入固定されている。マルチモード光ファイバ４８，４９の他端はフォトダイオード５０に光結合されている。
　【００３３】　光ファイバ４７，４８，４９からの出射光をコリメートビームにする位置にレンズ５１が配置されており、コリメートビームの光路中に図３に示した光アイソレータ４０と同様構成の光アイソレータ５２と、ガラス基板５６上に形成された光分岐膜５７がこの順に挿入されている。分岐膜５７は光路に垂直方向からわずかばかり傾けられている。光アイソレータ５２は一対の楔状複屈折結晶板５３，５４の間にファラデー回転子５５を配置して構成されている。
　【００３４】　コリメートビームはレンズ５８によりシングルモード光ファイバ６０に結合される。シングルモード光ファイバ６０の一端とマルチモード光ファイバ６１の一端がフェルール５９中に挿入固定されている。マルチモード光ファイバ６１の他端は光コネクタ外れ検出用のフォトダイオード６２に光結合されている。
　【００３５】　然して、光ファイバ４７を伝送されてきた信号光はレンズ５１によりコリメートビームとされて光アイソレータ５２を順方向に透過し、分岐膜５７に入射する。信号光の大部分は分岐膜５７を透過してレンズ５８により光ファイバ６０に結合される。
　【００３６】　一方、分岐膜５７で反射された信号光の一部であるモニタ光は光アイソレータ５２を逆方向に透過することにより、常光と異常光とで異なる角度の屈折を受けてレンズ５１によりそれぞれマルチモード光ファイバ４８，４９に結合される。マルチモード光ファイバ４８，４９に結合されたモニタ光はフォトダイオード５０で光?電気変換され、図示しない光パワーメータにより信号光の強度が測定される。
　【００３７】　一方、光ファイバ６０の他端には図示しない光コネクタが接続されており、この光コネクタは通常他の光コネクタに接続されて光通信システムが構成されているが、コネクタ同士の嵌合が外れるとコネクタ端面で信号光が反射されて大量の反射帰還光が発生する。
　【００３８】　光ファイバ６０からの反射帰還光はレンズ５８によりコリメートビームとされて分岐膜５７に入射し、その一部は分岐膜５７により反射されてレンズ５８によりマルチモード光ファイバ６１に結合される。この反射帰還光をフォトディテクタ６２で検出することにより、コネクタ外れを検出することができる。
　【００３９】　一方、分岐膜５７を透過した反射帰還光は、光アイソレータ５２を透過することにより常光と異常光とで異なる角度の屈折を受けるが、このときの屈折角は分岐膜５７で反射された信号光が受ける常光及び異常光の屈折角と異なるため、反射帰還光が光ファイバ４７，４８，４９に結合されることはない。
　【００４０】　次に図５を参照すると、上述した第４実施例の光アイソレータと分岐膜の順序を逆にした本発明の第５実施例に係る光分岐デバイスが概略的に示されている。この実施例においては、分岐膜５７が光アイソレータ５２の上流側に配置されている。
　【００４１】　このように分岐膜５７を光アイソレータ５２の上流側に配置したことにより、
フェルール６３にはシングルモード光ファイバ４７の一端とマルチモード光ファイバ６４の一端が挿入固定され、マルチモード光ファイバ６４の他端は信号光モニタ用のフォトダイオード５０に光結合されている。
　【００４２】　また、フェルール６５にはシングルモード光ファイバ６０の一端とマルチモード光ファイバ６６，６７の一端が挿入固定され、マルチモード光ファイバ６６，６７の他端はコネクタ外れ検出用のフォトダイオード６２に光結合されている。
　【００４３】　然して、光ファイバ４７を伝搬してきた信号光はレンズ５１によりコリメートビームにされて分岐膜５７に入射する。大部分の信号光は分岐膜５７を透過し、さらに光アイソレータ５２を順方向に透過してレンズ５８により光ファイバ６０に結合される。
　【００４４】　一方、分岐膜５７で反射されたモニタ光はレンズ５１によりマルチモード光ファイバ６４に結合され、フォトディテクタ５０で光?電気変換されて、図示しない光パワーメータにより信号光のモニタが行われる。
　【００４５】　光ファイバ６０の他端に接続されている光コネクタが外れると、コネクタ端面で大量の反射帰還光が発生する。光ファイバ６０を伝搬してきた反射帰還光はレンズ５８によりコリメートビームにされて光アイソレータ５２を逆方向に通過し、常光と異常光で異なる角度の屈折を受け分岐膜５７に入射する。
　【００４６】　分岐膜５７で反射された反射帰還光の一部は光アイソレータ５２を順方向に透過し、レンズ５８によりマルチモード光ファイバ６６，６７に結合され、フォトダイオード６２によりコネクタ外れの検出が行われる。
　【００４７】　一方、分岐膜５７を透過した大部分の反射帰還光は、分岐膜５７で反射された信号光の光路と異なる光路を通るため、レンズ５１により光ファイバ４７，６４に結合されることはない。」（５頁８欄【００３１】〜６頁１０欄【００４７】）
　取消理由通知に記載した刊行物２（特開平１−２９５２１０号公報、異議申立人 佐藤精孝が証拠として提出した甲第２号証）には、次の事項が記載されている。
「実施例１
　第１図は本発明の一実施例となる光合分波器の構造を示すもので、金属からなる中空円筒のホルダ１内の片側に例えば送信ポート用の石英等よりなる光ファイバ２が挿入されたセラミック等よりなるフェルール３が挿入される。ホルダ１のもう一方の端部には例えば共通ポート用光ファイバ６および受信ポート用光ファイバ７を各１本ずつ挿入したフェルール５が挿入される。フェルール３およびフェルール５の前面には光ファイバ２、６、７と光学ガラスＢＫ−７等よりなる球レンズあるいは円柱レンズ８、８’との結合効率を上げるための同じくＢＫ−７等よりなるスペーサ４が設けられている。更に球レンズ８、８’間には、ＢＫ−７等よりなるガラスブロック９に誘電体多層膜フィルタ１０を搭載した合分波ブロックが配置される。
　なお、このガラス部ブロック９はフィルタ１０を支持するために設けたもので、レンズ８、８’の位置決めも兼ねているが、必ずしもなければならないというものではない。フィルタ１０やレンズ８、８’を他の手段で固定することもでき、その場合はガラスブロック９を省略することができる。
　第２図は上記第１図のフェルール５の構造を示すもので共通ポート用光ファイバ６を挿入する貫通穴５ａと受信ポート用光ファイバ７を挿入する貫通穴５ｂとが設けられる。通常受光し易くするため、受信ポート用光ファイバ７の直径は、共通ポート用光ファイバ６あるいは送信ポート用光ファイバ２よりも太めであり、従ってフェルール５の受信ポート用貫通穴５ｂも太めであることが望ましい。
　フィルタ１０はホルダ１の中心軸に対して僅かに傾斜させ、共通ポート用光ファイバ６からの光を受信ポート用光ファイバ７に効率よく受光できるよう予め決められている。本発明における光合分波器において、各部品の固定は接着、あるいは半田等により行なわれる。」（３頁左上欄１８行〜同頁左下欄１５行）
　取消理由通知に記載した刊行物３（吉田正太郎著「光学機器大全」平成１２年３月２７日株式会社誠文堂新光社発行第２６６〜２６７頁、第２９８〜２９９頁、第４５０〜４５３頁、異議申立人 佐藤精孝が証拠として提出した甲第３号証）には、「測高器においてプリズム２枚を用いて光路を調整する」ことが記載されている。
　エ．当審の対比・判断
　（１）特許法第２９条第２項の規定の違反について
　本件発明１及び２の「その透過光路をウエッジ板で適宜の角度で曲げ、モジュール主軸と平行になるように設定する」ことは、上記刊行物１〜３のいずれにも記載も示唆もされておらず、当業者に周知又は自明の事項でもない。
　そして、本件発明１及び２は、「その透過光路をウエッジ板で適宜の角度で曲げ、モジュール主軸と平行になるように設定する」ことにより、「２つの２芯フェルールはごく接近して同一直線上に配置できるので、筒ケースに容易に装着できるとともに、その取付位置や角度の調整が容易に行える」という作用効果を呈するものである。
　なお、刊行物２に記載の「ブロック９」は「フィルタ１０やレンズ８、８’を他の手段で固定することもでき、その場合はガラスブロック９を省略することができる」ものであるから、また、刊行物３に記載の「プリズム２枚」は「測高器の光路を調整する」ものであるから、両者は、本件発明１及び２の「その透過光路を適宜の角度で曲げ、モジュール主軸と平行になるように設定する」ウエッジ板に相当するものでないことは明らかである。
　したがって、本件発明１及び２は、刊行物１〜３に記載の発明及び技術的事項に基づいて当業者が容易に発明をすることができないものである。
　（２）特許法第３６条第４項の規定の違反について
　上記訂正により本件特許明細書及び図面の記載は明確なものとなったから、本件発明１及び２は特許法第３６条第４項又は同法同条第６項第１号若しくは第２号の規定に違反して特許されたものではない。
　オ．むすび
　以上のとおり、異議申立の理由及び証拠によっては、本件発明１及び２についての特許を取り消すことができない。
　また、他に本件発明１及び２についての特許を取り消すべき理由を発見しない。
　よって、結論のとおり決定する。
【異議決定日】
平成１４年４月８日（２００２．４．８）
【訂正の要旨】
　訂正事項ａ
　特許請求の範囲の請求項１を特許請求の範囲の減縮を目的として下記文章に訂正する。
　記
「平行な２本の光ファイバ（４１，４２）の芯線（４１ａ，４２ａ）を有する第１の２芯フェルール（２０）と、同じく２本の平行な光ファイバ（４３，４４）の芯線（４３ａ，４４ａ）を有する第２の２芯フェルール（３０）とが、１本の直線をなすモジュール主軸（Ｍｓ）上にほぼ同軸に配設され、両フェルールの先端面が所定の間隔をおいて対向しており、
　第１の２芯フェルール（２０）の先端面に対向する第１のコリメートレンズ（２１）と、第２の２芯フェルールの先端面に対向する第２のコリメートレンズ（３１）と、第１および第２のコリメートレンズの間に介在する光合波分波フィルタ（２２，３２）およびウエッジ板（２３，３３）とが、前記両フェルールの先端面の間隔部分において前記モジュール主軸（Ｍｓ）上に直列的に並べて配設されており、
　前記ウエッジ板の頂角は、前記第１，第２の２芯フェルール及び前記第１，第２のコリメートレンズの軸がモジュール主軸（Ｍｓ）に平行或いは直線上に配置された状態で前記第１の２芯フェルール（２０）の一方の芯線（４１ａ）と前記第２の２芯フェルール（３０）の一方の芯線（４３ａ）とが前記光合波分波フィルタの透過光路で光結合
するとともに、その透過光路が前記ウエッジ板で適宜の角度で曲げられ、前記モジュール主軸と平行になるように設定され、
　訂正事項ｂ
　明細書の段落番号［０００１］を、不明瞭な記載の釈明を目的として下記の文章に訂正する。
　記
　【０００１】
　【発明の属する技術分野】
　本発明は、光ファイバ通信システムなどの構成要素となる光回路モジュールに関し、とく
に、４本
　訂正事項ｃ
　明細書の段落番号［００１３］を、不明瞭な記載の釈明を目的として下記の文章に訂正する。
　記
　【００１３】
　そして、前記ウエッジ板の頂角（Ｅ，Ａ＋Ｂ）を適宜に設定することにより、前記第１，第２の２芯フェルール及び前記第１，第２のコリメートレンズの軸がモジュール主軸（Ｍｓ）に平行或いは直線上に配置された状態で第１の２芯フェルールの一方の芯線と第２の２芯フェルールの一方の芯線とが前記光合波分波フィルタの透過光路で光結合
するとともに、その透過光路が前記ウエッジ板で適宜の角度で曲げられ、前記モジュール主軸と平行になるように設定され、さらに、
　訂正事項ｄ
　明細書の段落番号［００３３］を、不明瞭な記載の釈明を目的として下記の文章に訂正する。
　記
　【００３３】
　図５
は別
　訂正事項ｅ
　明細書の段落番号［００３５］を、不明瞭な記載の釈明を目的として下記の文章に訂正する。
　記
　【００３５】
　図６はさらに別の例を示している。図３に示した例と比較すると、ウエッジガラス板２３の表裏の向きが反対になっている。このように逆にしても
図３に示した例
図５に示した例
　訂正事項ｆ
　明細書の図面の簡単な説明の欄を、不明瞭な記載の釈明を目的として下記の文章に訂正する。
　記
　【図面の簡単な説明】
　【図１】
　本発明の応用対象の一例としての後方向励起式の光ファイバ増幅器の概略構成図である。
　【図２】
　同上光ファイバ増幅器における光合波分波回路モジュールの従来の構成例を示す概略図である。
　【図３】
　
光
一例を示す
　【図４】
　ウエッジガラス板を説明する図である。
　【図５】
　
光
の別の例を示す
　【図６】
　
光
の別の例を示す
　【図７】
　
光
の別の例を示す
　【図８】
　
光
の別の例を示す
　【図９】
　本発明の
第１の
　【図１０】
　本発明の
第１の
　【図１１】
　ウエッジガラス板の別の形態を示す図である。
　【符号の説明】
１　光アイソレータ
２　エルビウム添加光ファイバ
２ａ　光ファイバ芯線
３　光合波分波回路
４　光ファイバ
４ａ　光ファイバ芯線
５　光アイソレータ
６　励起光源
７　光ファイバ
７ａ　光ファイバ芯線
８，９，１０　１芯フェルール（従来）
１１，１２，１３　コリメートレンズ（従来）
１４　光合波分波フィルタ（従来）
２０，３０　２芯フェルール
２１，３１　コリメートレンズ
２２，３２　光合波分波フィルタ
２３，３３　ウエッジガラス板（ウエッジ板）
２４　光アイソレータ
４１，４２，４３，４４　光ファイバ
４１ａ，４２ａ，４３ａ，４４ａ　光ファイバ芯線
Ｍｓ　モジュール主軸
（５４）【発明の名称】
光回路モジュール
（５７）【特許請求の範囲】
　【請求項１】　平行な２本の光ファイバ（４１，４２）の芯線（４１ａ，４２ａ）を有する第１の２芯フェルール（２０）と、同じく２本の平行な光ファイバ（４３，４４）の芯線（４３ａ，４４ａ）を有する第２の２芯フェルール（３０）とが、１本の直線をなすモジュール主軸（Ｍｓ）上にほぼ同軸に配設され、両フェルールの先端面が所定の間隔をおいて対向しており、
　第１の２芯フェルール（２０）の先端面に対向する第１のコリメートレンズ（２１）と、第２の２芯フェルールの先端面に対向する第２のコリメートレンズ（３１）と、第１および第２のコリメートレンズの間に介在する光合波分波フィルタ（２２，３２）およびウエッジ板（２３，３３）とが、前記両フェルールの先端面の間隔部分において前記モジュール主軸（Ｍｓ）上に直列的に並べて配設されており、
　前記ウエッジ板の頂角は、前記第１，第２の２芯フェルール及び前記第１，第２のコリメートレンズの軸がモジュール主軸（Ｍｓ）に平行或いは直線上に配置された状態で前記第１の２芯フェルール（２０）の一方の芯線（４１ａ）と前記第２の２芯フェルール（３０）の一方の芯線（４３ａ）とが前記光合波分波フィルタの透過光路で光結合す
るとともに、その透過光路が前記ウエッジ板で適宜の角度で曲げられ、前記モジュール主軸と平行になるように設定され、
　【請求項２】　前記ウエッジ板（２３）の表面に前記光合波分波フィルタ（２２）としての誘電体多層膜が形成されていることを特徴とする請求項１に記載の光回路モジュール。
【発明の詳細な説明】
　【０００１】
　【発明の属する技術分野】
　本発明は、光ファイバ通信システムなどの構成要素となる光回路モジュールに関し、とく
に、４本
　【０００２】
　【従来の技術】
　よく知られているように、ある種の光ファイバ通信システムでは、図１に示す構成の光ファイバ増幅器を用いている。同図に示すように、入力ポートＰｉｎに導入される波長１．５５μｍの信号光が、光アイソレータ１を経てエルビウム添加光ファイバ２に伝搬する。この信号光はエルビウム添加光ファイバ２から光合波分波回路３を透過して光ファイバ４に伝搬し、光アイソレータ５を通過して出力ポートＰｏｕｔに達するようになっている。
　【０００３】
　一方、半導体レーザからなる励起光源６は波長１．４８μｍの励起光を発生する。その励起光は、光ファイバ７を伝搬して光合波分波回路３に導入され、ここからエルビウム添加光ファイバ２を前記信号光と反対方向に伝搬する。エルビウム添加光ファイバ２を伝搬する信号光（波長１．５５μｍ）が、反対方向に進行する励起光（波長１．４８μｍ）によって増幅されるようになっている。
　【０００４】
　このように励起光の進行方向と信号光の進行方向とが反対になっているので、このタイプを後方向励起式の光ファイバ増幅器と呼んでいる。なお、励起光と信号光の進行方向を同じにした前方向励起式の光ファイバ増幅器や、後方向励起式と前方向励起式を組み合わせた双方向励起式の光ファイバ増幅器も、従来からよく知られている。
　【０００５】
　図１に示した後方向励起式の光ファイバ増幅器において、前記の光合波分波回路３は図２に示すように構成されていた。この光合波分波回路モジュールは、前記光ファイバ２の芯線２ａを内包したフェルール８と、前記光ファイバ４の芯線４ａを内包したフェルール９と、前記光ファイバ７の芯線７ａを内包したフェルール１０と、各フェルール８，９，１０の光軸上にそれぞれ配置されたコリメートレンズ１１，１２，１３と、これら３つのレンズの光軸の間に介在する光合波分波フィルタ（「ＷＤＭ」とも称されている）１４とを備えている。
　【０００６】
　ここで、光合波分波フィルタ１４はガラス板に誘電体多層膜を形成したものであり、これと３つのフェルール８，９，１０およびコリメートレンズ１１，１２，１３の光学的な位置関係により、つぎのような光路が形成されている。増幅系の光ファイバ芯線２ａから出射してレンズ１１を経た波長１．５５μｍの信号光は、光合波分波フィルタ１４を透過してレンズ１２により集光され、出力系の光ファイバ芯線４ａに導入される。また、光ファイバ芯線７ａから出射してレンズ１３を経た波長１．４８μｍの励起光は、光合波分波フィルタ１４で反射してレンズ１１により集光され、増幅系の光ファイバ芯線２ａに導入される。
　【０００７】
　【発明が解決しようとする課題】
　以上のような応用例が本発明の対象となる従来技術の１つの形態である。しかしながら、図２に示した構成の従来の光合波分波回路モジュールでは、小型化が難しいという問題があった。このモジュールは、３つのフェルール８，９，１０が図示していないケースを貫通する形で取り付けられ、そのケースに３つのコリメートレンズ１１，１２，１３が内蔵されるとともに、光合波分波フィルタ１４が内蔵される。そして、各光ファイバ２，４，７が前記ケースから外部に引き出されるという形態になる。
　【０００８】
　ここで、光合波分波フィルタ１４の透過光路で光結合するフェルール８（光ファイバ芯線２ａ）とフェルール９（光ファイバ芯線４ａ）とは、図２のように、ほぼ同一直線上に並んだ配置関係になる。これに対して、光合波分波フィルタ１４の反射光路で光結合するフェルール８（光ファイバ芯線２ａ）とフェルール１０（光ファイバ芯線７ａ）とは、フェルール８とフェルール９とがなす軸形態に対して２０°〜９０°ほどの角度をなしてケースに取り付けられる。
　【０００９】
　そのため、フェルール８とフェルール９との配列がなす主軸に対してフェルール１０が側方に大きく出っ張った配置関係になってしまう。つまり、ファイバ４とファイバ７がハの字型になるケース形態になる。また、フェルール８用のコリメートレンズ１１とフェルール１０用のコリメートレンズ１３とがそれぞれ必要になるので、ケースの内部寸法も大きくなる。したがってケース全体が大型化するし、光ファイバ４と光ファイバ７とがハの字型をなして取り付けられることになり、実装スペースも大きくなる。
　【００１０】
　さらに、上記のように、所定の角度で斜めにフェルールを装着しようとすると、焦点位置を合わせるための光路に沿った前後方向の調整と、角度の調整が必要となり、平行に配置するものに比べてその組み付け・調整処理が非常に煩雑となる。すなわち、図２に示す例でいえば、フェルール８，９間の調整は比較的容易に行えるが、斜めに装着するフェルール１０の角度調整が非常に煩雑となる。そして、角度等がずれると、所望の特性が得られなくなる。
　【００１１】
　本発明は、上記した背景に鑑みてなされたもので、その目的とするところは、上記した問題を解決し、より小型で実装スペースも小さくて済み、取付・組立が容易に行え、部品点数の削減を図ることによる製造し易さ並びにコスト安を図るようにした光回路モジュールを提供することにある。
　【００１２】
　【課題を解決するための手段】
　上記した目的を達成するため、本発明に係る光回路モジュールは、４ポート型のモジュールであり、基本的なモジュールレイアウトとして、平行な２本の光ファイバ芯線を有する第１の２芯フェルールと、同じく２本の平行な光ファイバ芯線を有する第２の２芯フェルールとが、１本の直線をなすモジュール主軸上にほぼ同軸に配設され、両フェルールの先端面が所定の間隔をおいて対向している。また、第１の２芯フェルールの先端面に対向する第１のコリメートレンズと、第２の２芯フェルールの先端面に対向する第２のコリメートレンズと、第１および第２のコリメートレンズの間に介在する光合波分波フィルタおよびウエッジ板とが、前記両フェルールの先端面の間隔部分において前記モジュール主軸上に直列的に並べて配設されている。
　【００１３】
　そして、前記ウエッジ板の頂角（Ｅ，Ａ＋Ｂ）を適宜に設定することにより、前記第１，第２の２芯フェルール及び前記第１，第２のコリメートレンズの軸がモジュール主軸（Ｍｓ）に平行或いは直線上に配置された状態で第１の２芯フェルールの一方の芯線と第２の２芯フェルールの一方の芯線とが前記光合波分波フィルタの透過光路で光結合
するとともに、その透過光路が前記ウエッジ板で適宜の角度で曲げられ、前記モジュール主軸と平行になるように設定され、さらに、
　【００１４】
　上記した発明を前提とし、前記ウエッジ板の表面に前記光合波分波フィルタとしての誘電体多層膜を形成して、これらを一体化することができる。
　【００１５】
　ここで、本発明で言う光合波分波フィルタとは、ＷＤＭ（Ｗａｖｅｌｅｎｇｔｈ　Ｄｉｖｉｓｉｏｎ　Ｍｕｌｔｉｐｌｅｘｅｒ／Ｄｅｍｕｌｔｉｐｌｅｘｅｒ）とも称されているもので、異なった波長の光を合成したり、分波したりする光学部品のことを意味する。すなわち、いくつかの異なった波長を含んでいる光から、波長を弁別してそれぞれ決められた端子に光を出力する機能（分波機能）と、いくつかの波長の光をそれぞれ異なった端子から入射して、これらの波長を含んだ光として１つの端子から出射する機能（合波機能）のうち、少なくとも１方の機能をもつ光部品をいう。したがって、光合波分波フィルタとは言うが、合波機能と分波機能を備えたものに限られず、合波機能のみ、或いは分波機能のみを有するものも含む概念である。
　【００１６】
　また、本発明の要部を構成する部品であるウエッジ板（光路を曲げるためのプリズム）は、ガラス板等の等方性の媒体からなり、最終的に各フェルールがモジュール軸と平行になるような入出射光に、通過する光の光路を適宜折り曲げるものを言う。そして、ウエッジ板のみに着目すると、原則としてそのウエッジ板への入射光または出射光の一方がモジュール主軸と平行になるようになっている。
　【００１７】
　そして、本発明では、２つの２芯フェルールはほぼ同一直線上に並ぶ配置関係になる。また、２芯フェルールに内包されている２本のファイバ芯線はごく接近しているので、２本の芯線に対して共通のコリメートレンズで対応できる。
　【００１８】
　また、光合波並びに光分波を行うためには、２つの光の光路に所定のひらき角を設けなければならないが、本発明では、２芯フェルールの各芯線の軸をコリメートレンズの光軸からずらした位置に配置しているフェルール同士をたとえ直線上に配置しても、２芯から入出射される２つの光路に角度があることにより、交換的な光路が分離され、光の合光・分光処理が行われる。
　【００１９】
　そして、ウエッジ板を設けたため、両フェルール間を通過する光の光路が適宜の角度で曲げられ、モジュール主軸と平行になり、両フェルールへの入出射光は、モジュール主軸と平行になる。つまり、フェルールをモジュール主軸と平行に置くことができるので、両フェルールのなす角は０度となる。つまり、同一直線状に配置されるか、仮にずれたとしても平行となる。よって、両フェルールを筒型のケースに装着する際に、容易に組み付けることができ、かつ、取り付け位置・角度の調整が容易に行える。
　【００２０】
　【発明の実施の形態】
　本発明の光回路モジュールは、さまざまな目的のさまざまな構成の光回路に応用され得るものであり、以下に説明するいくつかの具体例に基づいて本発明の主旨を限定的に解釈すべきものではないことは当然である。以下では、本発明の実施の形態を分りやすく説明するために、図１に示した後方向励起式の光ファイバ増幅器における光合波分波回路３に相当する実施例を中心に、図２に示した従来のモジュール構成と対比して説明する。
　【００２１】
　図３は、本発明ではないが、光回路モジュールの一例を示している。これは３ポート型のモジュールであり、基本的なモジュールレイアウトとして、平行な２本の光ファイバ芯線２ａ，７ａを有する２芯フェルール２０と、１本の光ファイバ芯線４ａを有する１芯フェルール９とが、１本の直線をなすモジュール主軸Ｍｓ上にほぼ同軸に配設され、両フェルール２０と９の先端面が所定の間隔をおいて対向している。
　【００２２】
　また、２芯フェルール２０の先端面に対向する第１のコリメートレンズ２１と、１芯フェルール９の先端面に対向する第２のコリメートレンズ１２と、第１および第２のコリメートレンズ２１，１２の間に介在する光合波分波フィルタ２２およびウエッジガラス板２３とが、前記両フェルール２０，９の先端面の間隔部分において前記モジュール主軸Ｍｓ上に直列的に並べて配設されている。
　【００２３】
　そして、１芯フェルール９の芯線４ａと２芯フェルール２０の一方の芯線２ａとが光合波分波フィルタ２２の透過光路で光結合し、２芯フェルール２０の２本の芯線２ａ，７ａとが光合波分波フィルタ２２の反射光路で光結合する光学的配置関係を創りだしている。
　【００２４】
　なお図３において、２芯フェルール２０の一方の芯線２ａは図１における増幅用のエルビウム添加光ファイバ２につながり、２芯フェルール１６の他方の芯線７ａは図１における励起系の光ファイバ７につながり、１芯フェルール９の芯線４ａは図１における出力系の光ファイバ４につながる。
　【００２５】
　光合波分波フィルタ２２はガラス板に誘電体多層膜を形成したものであり、ウエッジガラス板２３は表平面と裏平面が平行でない所定角度をなすガラス板からなる。これら光合波分波フィルタ２２およびウエッジガラス板２３と、２芯フェルール２０と１芯フェルール９およびコリメートレンズ２１，１２の光学的な位置関係により、つぎのような光路が形成されている。
　【００２６】
　つまり、増幅系の光ファイバ芯線２ａから出射してコリメートレンズ２１を経た波長１．５５μｍの信号光は、光合波分波フィルタ２２を透過し、ウエッジガラス板２３で進行方向が所定角度だけ折り曲げられ、コリメートレンズ１２により集光され、出力系の光ファイバ芯線４ａに導入される。また、光ファイバ芯線７ａから出射してコリメートレンズ２１を経た波長１．４８μｍの励起光は、光合波分波フィルタ２２で反射して同じレンズ２１により集光され、増幅系の光ファイバ芯線２ａに導入される。
　【００２７】
　また図３のように、２芯フェルール２０・コリメートレンズ２１・光合波分波フィルタ２２・ウエッジガラス板２３・コリメートレンズ１２・１芯フェルール９とは、１本の直線をなすモジュール主軸Ｍｓ上にほとんど同一直線状に並べて配置されており、この配置関係で全体が１本の筒型ケース（図示していない）に内蔵されている。その筒型ケースの一端部から２本の光ファイバ２と光ファイバ７とが平行に引き出されているとともに、筒型ケースの他端部から１本の光ファイバ４が引き出されている。
　【００２８】
　このようなモジュール形態となるので、図２に示した従来の構成のモジュール形態に比べて、ケースの外形形状が単純な筒型となり、外形寸法を従来より大幅に小さくできる。また、２芯フェルール２０に内包されている２本の光ファイバ芯線２ａと７ａはごく接近しているので、２本の光ファイバ芯線２ａと７ａに対して共通のコリメートレンズ２１で対応できる。このこともモジュールケースの小型化に寄与する。
　【００２９】
　モジュールケースが単純な筒型になるという上記の特徴は、コリメートレンズ２１，１２とを結ぶ光路中に適宜なウエッジガラス板２３を配設し、光路を適切に折り曲げる構成を採用したことによって実現したことである。ウエッジガラス板２３の光路折り曲げ効果を適切に利用することによって、各光学部品（２芯フェルール２０・コリメートレンズ２１・光合波分波フィルタ２２・ウエッジガラス板２３・コリメートレンズ１２・１芯フェルール９）を１本の直線をなすモジュール主軸Ｍｓ上にほとんど同一直線状に並べて配置することができるのである。
　【００３０】
　つまり、図４に示すように、ウエッジガラス板２３の屈折率をｎとし、形状が片台形状で図示する頂角をＥとおくと、出射角θ２＝０になる頂角Ｅは、下記式に示すようになる。
ｔａｎＥ＝（ｎ・ｓｉｎθ０）／（ｎ・ｃｏｓθ０−１）
θ０＝ｓｉｎ−１（（ｓｉｎθ１）／ｎ）
　【００３１】
　したがって、本実施の形態では、モジュール主軸Ｍｓに対し傾斜する角度（θ１）の時に、出射角θ２＝０になるように頂角Ｅを設定することにより、上記したモジュール主軸Ｍｓ上にほとんど同一直線状に各光学部品を並べて配置することができる。
　【００３２】
　モジュールケースを単純な筒型に構成できるということは、モジュールケースの製作が容易であるし、そのケースに各光学部品（２芯フェルール２０・コリメートレンズ２１・光合波分波フィルタ２２・ウエッジガラス板２３・コリメートレンズ１２・１芯フェルール９）を取り付ける構造が簡単になり、また各部品の組み立てと調整の作業が簡単になるということを意味している。したがって、本発明によれば小型で高性能な光回路モジュールを安価に量産できるのである。
　【００３３】
　図５
は別
　【００３４】
　これにより、図３に示す例では、光合波分波フィルタ２２・ウエッジガラス板２３として、別部材の板材で構成していたものを一体化し、共通化することにより、部品点数の削減ができる。さらに、部品間の位置関係の調整が１組分不要となるので、調整が容易になる。したがって、この実施の形態では、モジュールのさらなる小型化と組立性の向上に寄与する。なお、その他の構成並びに作用効果は上記した図３に示す例と同様であるので、その詳細な説明を省略する。
　【００３５】
　図６はさらに別の例を示している。図３に示した例と比較すると、ウエッジガラス板２３の表裏の向きが反対になっている。このように逆にしても
図３に示した例
図５に示した例
　【００３６】
　図７はさらに別の例を示している。図６に示す例と比較すると、光合波分波フィルタ２２とウエッジガラス板２３の配置順が異なっている。このように各部品の特性や形態に応じて光学的配置関係を適宜に設定し、目的とする光路を実現することができるが、その具体的な構成は一様ではない。
　【００３７】
　図８はさらに別の例を示している。本例は、図６に示す例の構成を基本とし、ウエッジガラス板２３とコリメートレンズ１２の間に光アイソレータ２４を配設している。これにより、光合波分波器に光アイソレータ機能が付けられ付加価値が高まる。このように具体的な利用目的に応じて、必要な機能の光学部品や光学素子をモジュール内に付加することは自由である。
　【００３８】
　図９は本発明に係る光回路モジュールの第１の実施の形態を示している。これは４ポートのモジュールであり、基本的なモジュールレイアウトとして、平行な２本の光ファイバ芯線４１ａと４２ａを有する第１の２芯フェルール２０と、同じく２本の平行な光ファイバ芯線４３ａ，４４ａを有する第２の２芯フェルール３０とが、１本の直線をなすモジュール主軸Ｍｓ上に同軸に配設され、両フェルール２０，３０の先端面が所定の間隔をおいて対向している。各光ファイバ芯線４１ａ，４２ａ，４３ａ，４４ａは、それぞれ光ファイバ４１，４２，４３，４４につながっている。２本の光ファイバ４１，４２は２芯フェルール２０の端部から平行に引き出されており、もう２本の光ファイバ４３，４４は２芯フェルール３０の端部から平行に引き出されている。
　【００３９】
　また、２芯フェルール２０の先端面に対向するコリメートレンズ２１と、２芯フェルール３０の先端面に対向するコリメートレンズ３１と、２つのコリメートレンズ２１，３１の間に介在する光合波分波フィルタ２２と３２およびウエッジガラス板２３，３３とが、両フェルール２０，３０の先端面の間隔部分において前記モジュール主軸Ｍｓ上に直列的に並べて配設されている。
　【００４０】
　そして、２芯フェルール２０の一方の光ファイバ芯線４１ａと、２芯フェルール３０の一方の光ファイバ芯線４３ａとが光合波分波フィルタ２３および３３の透過光路で光結合する。また、２芯フェルール２０の２本の光ファイバ芯線４１ａと４２ａが光合波分波フィルタ２２の反射光路で光結合する。さらに、２芯フェルール３０の２本の光ファイバ芯線４３ａ，４４ａが光合波分波フィルタ３２の反射光路で光結合する。このような光学的配置関係を創りだしている。
　【００４１】
　本実施の形態においても、２芯フェルール２０・コリメートレンズ２１・光合波分波フィルタ２２・ウエッジガラス板２３・ウエッジガラス板３３・光合波分波フィルタ３２・コリメートレンズ３１・２芯フェルール３０とは、１本の直線をなすモジュール主軸Ｍｓ上に直列に並べて配置されており、この配置関係で全体が１本の筒型ケース（図示していない）に内蔵されている。
　【００４２】
　その筒型ケースの一端部から２本の光ファイバ４１，４２が平行に引き出されているとともに、筒型ケースの他端部からもう２本の光ファイバ４３，４４が引き出されている。このようなモジュール形態となるので、従来の構成のモジュール形態に比べて、ケースの外形形状が単純な筒型となり、外形寸法を従来より大幅に小さくできる。
　【００４３】
　そして前述したように、この特徴は、コリメートレンズ２１，３１とを結ぶ光路中に適宜なウエッジガラス板２３，３３を配設し、光路を適切に折り曲げる構成を採用したことによって実現したことである。ウエッジガラス板２３，３３の光路折り曲げ効果を適切に利用することによって、各光学部品（２芯フェルール２０・コリメートレンズ２１・光合波分波フィルタ２２・ウエッジガラス板２３・ウエッジガラス板３３・光合波分波フィルタ３２・コリメートレンズ３１・２芯フェルール３０）を１本の直線をなすモジュール主軸Ｍｓ上に直列に並べて配置することができるのである。
　【００４４】
　さらに、図１０に示すように、４ポートのモジュールのタイプでも、ウエッジガラス板２３，３３の表面に誘電体多層膜を成膜することにより光合波分波フィルタ２２，３２を形成し、一体化した構成を採ることもできるのはもちろんである。
　【００４５】
　上記した各実施の形態では、いずれもウエッジガラス板の形状は片台形状であったが、本発明はこれに限ることはなく、光路を適切に折り曲げるようになっていればその形状は問わない。一例を示すと、例えば図１１に示するように三角形状とすることができる。この場合に、ウエッジガラス板２３′の頂角を（Ａ＋Ｂ）とすると、
　【００４６】
ｔａｎＡ＝（ｎ・ｓｉｎθ０）／（ｎ・ｃｏｓθ０−１）
θ０＝ｓｉｎ−１（（ｓｉｎ（Ｂ＋θ））／ｎ）−Ｂ
　なる関係が成り立つように各角度を設定すればよいのである。
　【発明の効果】
　以上詳細に説明したように、本発明の光回路モジュールでは、２芯フェルールと第１のコリメートレンズと光合波分波フィルタとウエッジガラス板と第２のコリメートレンズと２芯フェルールとは、ほとんど同一直線状に並べて配置されており、この配置関係で全体が１本の筒型ケースに内蔵されている。そして、その筒型ケースの一端部から２本の光ファイバが平行に引き出されているとともに、筒型ケースの他端部から２本の光ファイバ４が引き出されている。
　【００４８】
　このようなモジュール形態となるので、従来の構成のモジュール形態に比べて、ケースの外形形状が単純な筒型となり、外形寸法を従来より大幅に小さくできる。また、実装の際の３本または４本の光ファイバの取り回しが簡単であり、実装スペースをきわめて小さくできる。また、２芯フェルールに内包されている２本の光ファイバ芯線はごく接近しているので、その２本の芯線に対して共通のコリメートレンズで対応できる。このこともモジュールケースの小型化に寄与する。
　【００４９】
　しかも、ウエッジ板を設けたことにより、両フェルールは同一直線状或いは平行に配置することができるので、ケースへの組み付け時の角度調整が容易に行える。
【図面の簡単な説明】
　【図１】
　本発明の応用対象の一例としての後方向励起式の光ファイバ増幅器の概略構成図である。
　【図２】
　同上光ファイバ増幅器における光合波分波回路モジュールの従来の構成例を示す概略図である。
　【図３】
　
光
一例を示す
　【図４】
　ウエッジガラス板を説明する図である。
　【図５】
　
光
の別の例を示す
　【図６】
　
光
の別の例を示す
　【図７】
　
光
の別の例を示す
　【図８】
　
光
の別の例を示す
　【図９】
　本発明の
第１の
　【図１０】
　本発明の
第１の
　【図１１】
　ウエッジガラス板の別の形態を示す図である。
　【符号の説明】
１　光アイソレータ
２　エルビウム添加光ファイバ
２ａ　光ファイバ芯線
３　光合波分波回路
４　光ファイバ
４ａ　光ファイバ芯線
５　光アイソレータ
６　励起光源
７　光ファイバ
７ａ　光ファイバ芯線
８，９，１０　１芯フェルール（従来）
１１，１２，１３　コリメートレンズ（従来）
１４　光合波分波フィルタ（従来）
２０，３０　２芯フェルール
２１，３１　コリメートレンズ
２２，３２　光合波分波フィルタ
２３，３３　ウエッジガラス板（ウエッジ板）
２４　光アイソレータ
４１，４２，４３，４４　光ファイバ
４１ａ，４２ａ，４３ａ，４４ａ　光ファイバ芯線
Ｍｓ　モジュール主軸